(57)【要約】【課題】  壁パネルとコーナーパネルの連結作業を浴室内から行いうるようにする。【解決手段】  コーナーパネル７の側端部後面に、浴室に開口するコ字状の係合凹部２１を有する連結部材１７を固定し、その係合凹部２１に、壁パネル６の側端に設けた弾性係合片１０を弾性的に嵌合し、係止手段１３ａ，２２により係止する。【選択図】  図４
2007169918.tif 000002
【特許請求の範囲】
【請求項１】
互いに直交する壁パネルの側端同士を、平面視ほぼＬ字状をなすコーナーパネルにより連結する浴室壁面のコーナー部連結構造において、
前記コーナーパネルの両側端部に、浴室内に開口する平面視コ字状の係合凹部を設けるとともに、前記両壁パネルの側端に、前記係合凹部に弾性的に嵌合可能な弾性係合片を設け、この弾性係合片を、前記係合凹部に浴室内より嵌合し、かつそれら互いの接触面に設けた係止手段により係止することにより、前記コーナーパネルと前記壁パネルとを、互いの側端同士が当接するとともに、前面が同一面をなして連続するように連結したことを特徴とする浴室壁面のコーナー部連結構造。
【請求項２】
前記係止手段を、前記係合凹部側に設けた突部と、前記突部の後端と係合する前記弾性係合片側に設けた段部と、からなるものとした請求項１に記載の浴室壁面のコーナー部連結構造。
【請求項３】
前記係合凹部内の奥面に、前記弾性係合片の後端と当接することにより、該弾性係合片を前向きに付勢する弾性押圧片を一体的に設けた請求項１または２に記載の浴室壁面のコーナー部連結構造。
【請求項４】
前記コーナーパネルの側端に、外側面が前記壁パネルの弾性係合片の外側面と当接する弾性係合片を設け、これら両弾性係合片を、前記コーナーパネルの裏面に固着された連結部材における浴室内に開口する平面視コ字状の連結片の内部の係合凹部に背中合わせに弾性的に嵌合し、両弾性係合片と係合凹部との接触面に設けた係止手段により係止した請求項１ないし３のいずれかに記載の浴室壁面のコーナー部連結構造。
【請求項５】
前記連結部材における連結片の前方を向く両側片を、浴室側の開口幅が奥部よりも狭幅となるように予め内向きに折曲し、前記弾性係合片の嵌合時に外開き状に弾性変形しうるようにした請求項４に記載の浴室壁面のコーナー部連結構造。
【請求項６】
前記コーナーパネルが中空をなし、かつ下端を浴室の防水パンの上面に当接させて立設するものにおいて、前記コーナーパネルの下端の開口部をキャップにより塞ぐとともに、このキャップの下面と前記防水パンの上面との間にパッキン材を挟入した請求項１ないし５のいずれかに記載の浴室壁面のコーナー部連結構造。
【請求項７】
前記コーナーパネルの前面を円弧状の凹曲面とした請求項１ないし６のいずれかに記載の浴室壁面のコーナー部連結構造。
【請求項８】
互いに直交する壁パネルの側端同士を、平面視ほぼＬ字状をなすコーナーパネルにより連結する浴室において、
前記コーナーパネルの前面を円弧状の凹曲面とし、
前記コーナーパネルと前記壁パネルとを、互いの側端同士が当接するとともに、前面が同一面をなして連続するように連結したことを特徴とする浴室。
【発明の詳細な説明】
【技術分野】
【０００１】
本発明は、ユニットバス等の浴室壁面のコーナー部連結構造に関する。
【背景技術】
【０００２】
ユニットバスの浴室壁面は、通常、設置現場で組立てて建て付けされるため、高い組立施工性が要求される。従来、この点を考慮した壁面の連結構造としては、例えば特許文献１に記載されているものがある。
【０００３】
【特許文献１】特開平５−９９９１号公報（図３，図４）
【発明の開示】
【発明が解決しようとする課題】
【０００４】
上記特許文献１に記載されているものにおいては、コーナーパネル（入隅壁パネル）の側端と壁パネルの側端とに凹溝を設け、両凹溝に縦ジョイントを嵌合することにより、コーナーパネルと壁パネルとを連結しているため、壁パネルの側方に、縦ジョイントを嵌合するだけの余裕空間が必要となり、ユニットバスの設置空間が小さいときなどには、連結作業が不能となったり、建て付けに時間がかかったりすることがある。
【０００５】
また、凹溝とジョイントとの保持手段はなく、嵌合部をセメント接着剤により固定しているので、組立工数やコストも増大する。
【０００６】
本発明は、上記問題点を解決するためになされたもので、コーナーパネルと壁パネルの連結作業を浴室内から容易に行いうるようにし、施工性を向上させるとともに、接着剤等を用いることなく確実に連結しうるようにした浴室壁面のコーナー部連結構造を提供することを目的としている。
【課題を解決するための手段】
【０００７】
上記目的を達成するために、本発明の請求項１に記載の浴室壁面のコーナー部連結構造は、
互いに直交する壁パネルの側端同士を、平面視ほぼＬ字状をなすコーナーパネルにより連結する浴室壁面のコーナー部連結構造において、
前記コーナーパネルの両側端部に、浴室内に開口する平面視コ字状の係合凹部を設けるとともに、前記両壁パネルの側端に、前記係合凹部に弾性的に嵌合可能な弾性係合片を設け、この弾性係合片を、前記係合凹部に浴室内より嵌合し、かつそれら互いの接触面に設けた係止手段により係止することにより、前記コーナーパネルと前記壁パネルとを、互いの側端同士が当接するとともに、前面が同一面をなして連続するように連結したことを特徴としている。
この特徴によれば、コーナーパネルの両側端部に設けた浴室内に開口する係合凹部に、壁パネルの側端に設けた弾性係合片を嵌合するので、ユニットバスの設置空間が小さくても、コーナーパネルと壁パネルとの連結作業を浴室内から容易に行うことができ、施工性を向上させることができる。
また、弾性係合片は、係合凹部に弾性的に嵌合され、かつ係止手段により係止されて抜け止めされているので、従来のような接着剤等を用いなくても確実に連結することができ、組立工数やコストの削減が可能となる。
【０００８】
本発明の請求項２に記載の浴室壁面のコーナー部連結構造は、請求項１に記載のコーナー部の連結構造であって、
前記係止手段を、前記係合凹部側に設けた突部と、前記突部の後端と係合する前記弾性係合片側に設けた段部と、からなるものとしたことを特徴としている。
この特徴によれば、係合凹部に弾性係合片を嵌合するだけで、突部の後端に段部が自動的に係合して抜け止めされるので、複雑な係止手段を別途設ける必要がない。
【０００９】
本発明の請求項３に記載の浴室壁面のコーナー部連結構造は、請求項１または２に記載のコーナー部連結構造であって、
前記係合凹部内の奥面に、前記弾性係合片の後端と当接することにより、該弾性係合片を前向きに付勢する弾性押圧片を一体的に設けたことを特徴としている。
この特徴によれば、係合凹部と弾性係合片とに設けた係止手段、例えば突部と段部とが強く係合し合って係止力が大となるので、係合凹部と弾性係合片との間にがたが発生することがなく、コーナーパネルと壁パネルとの連結強度を高めることができる。
【００１０】
本発明の請求項４に記載の浴室壁面のコーナー部連結構造は、請求項１ないし３のいずれかに記載のコーナー部連結構造であって、
前記コーナーパネルの側端に、外側面が前記壁パネルの弾性係合片の外側面と当接する弾性係合片を設け、これら両弾性係合片を、前記コーナーパネルの裏面に固着された連結部材における浴室内に開口する平面視コ字状の連結片の内部の係合凹部に背中合わせに弾性的に嵌合し、両弾性係合片と係合凹部との接触面に設けた係止手段により係止したことを特徴としている。
この特徴によれば、コーナーパネルの裏面に別体の連結部材を固着し、そのコ字状の連結片の内部の係合凹部に、コーナーパネルと壁パネルの側端に設けた弾性係合片を嵌合して係止するので、連結部材を強度の高い別材質とすることができ、互いの連結部の強度を高めることができる。
また、コーナーパネルと壁パネルの弾性係合片を、背中合わせにして係合凹部に弾性的に嵌合しているので、互いの対向面同士が強く密着し、コーナーパネルと壁パネルとの接合部の防水性が高まる。
【００１１】
本発明の請求項５に記載の浴室壁面のコーナー部連結構造は、請求項４に記載のコーナー部連結構造であって、
前記連結部材における連結片の前方を向く両側片を、浴室側の開口幅が奥部よりも狭幅となるように予め内向きに折曲し、前記弾性係合片の嵌合時に外開き状に弾性変形しうるようにしたことを特徴としている。
この特徴によれば、コーナーパネルと壁パネルの弾性係合片を、連結片の両側片が外開き状に弾性変形して強く内方に押圧するので、両弾性係合片の対向面が強く密着し、コーナーパネルと壁パネルとの接合部の防水性がより高まる。従って、接合部を防水性の目地材で塞ぐ必要がない。
【００１２】
本発明の請求項６に記載の浴室壁面のコーナー部連結構造は、請求項１ないし５のいずれかに記載のコーナー部連結構造であって、
前記コーナーパネルが中空をなし、かつ下端を浴室の防水パンの上面に当接させて立設するものにおいて、前記コーナーパネルの下端の開口部をキャップにより塞ぐとともに、このキャップの下面と前記防水パンの上面との間にパッキン材を挟入したことを特徴としている。
この特徴によれば、軽量化を図るべくコーナーパネルを中空状としても、その下端の開口部はキャップにより塞がれ、パッキンとの接触面積が増大するので、防水パンの上面との防水効果が高まる。
【００１３】
本発明の請求項７に記載の浴室壁面のコーナー部連結構造は、請求項１ないし６のいずれかに記載のコーナー部連結構造であって、
前記コーナーパネルの前面を円弧状の凹曲面としたことを特徴としている。
この特徴によれば、コーナーパネルの前面の清掃性が良好となるとともに、入隅部にカビが発生したり、汚れが付着したりしにくくなる。
【００１４】
本発明の請求項８に記載の浴室は、
互いに直交する壁パネルの側端同士を、平面視ほぼＬ字状をなすコーナーパネルにより連結する浴室において、
前記コーナーパネルの前面を円弧状の凹曲面とし、
前記コーナーパネルと前記壁パネルとを、互いの側端同士が当接するとともに、前面が同一面をなして連続するように連結したことを特徴としている。
この特徴によれば、コーナーパネルの前面の清掃性が良好となるとともに、入隅部にカビが発生したり、汚れが付着したりしにくくなる。
【発明を実施するための最良の形態】
【００１５】
以下、本発明の実施形態を図面に基づいて説明する。
【００１６】
図１は、本発明を適用したユニットバスにおける浴室の平面斜視図、図２は、浴室壁面のコーナー部の拡大横断平面図である。
【００１７】
浴室１は、洗い場２を有する防水パン３と浴槽４とを備え、洗い場２と浴槽４を囲む防水パン３の外周部上面と天井パネル（図示略）との間には、壁面パネル５が建て付けされている。壁面パネル５は、４枚の壁パネル６と、互いに直交する壁パネル６同士のコーナー部に設けられた４個のコーナーパネル７とからなっている。
【００１８】
図２に示すように、各壁パネル６の側端部の後面（以下、浴室内を前、浴室外を後として説明する）に形成された薄肉の段差部８には、硬質合成樹脂等よりなる縦フレーム材９が、上下方向全長に亘って固着されている。縦フレーム材９の側端には、前面が壁パネル６の前面と同一面をなす延長片９ａが連設され、この延長片９ａの外側端には、後方を向くとともに、後端を内向きかつ前方に折曲した平面視ほぼＵ字状の弾性係合片１０が、上下全長に亘って一体的に連設されている。
【００１９】
壁パネル６の前後両面、縦フレーム材９の後面と延長片９ａの前面、及び弾性係合片１０の前端部外側面に形成した凹部には、ステンレス等の薄肉の化粧鋼板１１が貼着され、清掃を容易としてある。
【００２０】
コーナーパネル７は、合成樹脂により平面視ほぼL字形をなす中空状に成形され、内部はリブ１２により補強されている。コーナーパネル７の前面は、比較的曲率半径の大きな円弧状の凹曲面とされ、清掃等を容易に行いうるようになっている。
【００２１】
コーナーパネル７の両側端には、その前面と連続する延長片７ａ，７ａが、外側方に向かって一体成形され、両延長片７ａの外側端には、後方を向くとともに、後端を内向きかつ前方に折曲した平面視ほぼＵ字状の弾性係合片１３，１３が、上下全長に亘って一体的に連設されている。この弾性係合片１３と上記壁パネル６の弾性係合片１０とは、対称形をなしている。なお、両延長片７ａを含むコーナーパネル７の前面と、弾性係合片１３の前端部外側面に形成した凹部とには、上記と同様の化粧鋼板１１が貼着されている。
【００２２】
コーナーパネル７の下端の開口部には、図３の拡大断面図に示すように、キャップ１４が止着され、中空孔を閉塞している。なお、コーナーパネル７の上端も図示しないキャップにより塞がれ、天井パネル等より、コーナーパネル７内に水が入り込むのを防止している。
【００２３】
上記キャップ１４の下面と防水パン３の上面との間には、ゴム等のパッキン１５が挟入されている。このように、中空状のコーナーパネル７の下面をキャップ１４により塞ぐと、パッキン１５との接触面積が増大するので、防水パン３とコーナーパネル７との接触部に設けたシール部材１６が劣化したとしても、防水性が保たれる。
【００２４】
コーナーパネル７の両側端部の後面（裏面）には、合成樹脂よりなる連結部材１７，１７が全長に亘って取付けられている。この連結部材１７は、図４にも示すように、コーナーパネル７の後面に複数のねじ１８をもって固定される固定片１９と、その外側端に前向きに連設された、前方すなわち浴室内に開口する平面視コ字状の連結片２０とからなり、連結片２０の内部は、上記弾性係合片１０，１３が嵌合可能な係合凹部２１となっている。
【００２５】
連結片２０の両側片２０ａ，２０ａは、浴室側の開口幅が奥部よりも狭幅となるように予め内向きに若干折曲されている。また、連結片２０における両側片２０ａの前端の内面には、突部２２，２２が、互いに内向きに、かつ上下方向全長に亘って突設され、この両突部２２の後端には、上記弾性係合片１０，１３のＵ字状をなす遊端（前端）に設けた段部１０ａ，１３ａが、それぞれ係合しうるようになっている。さらに、連結片２０の奥面には、一対の弾性押圧片２３，２３が、平面視八字状をなすようにして上下方向全長に亘って一体的に形成されている。
【００２６】
次に、壁パネル６とコーナーパネル７とを連結する手順を説明する。
【００２７】
図４に示すように、まずコーナーパネル７の両側端部の後面に、連結部材１７を、その連結片２０間の係合凹部２１内にコーナーパネル７の弾性係合片１３を嵌合するようにして、ねじ１８により予め固定しておく。
【００２８】
この際、弾性係合片１３の段部１３ａが内方の側片２０ａの突部２２の後端と係合するとともに、一方の弾性押圧片２３が弾性係合片１３の後端と圧接することにより、弾性係合片１３は連結片２０の係合凹部２１内に安定的に係止される。
【００２９】
次いで、連結部材１７における連結片２０の係合凹部２１内に、壁パネル６の弾性係合片１０を、コーナーパネル７の弾性係合片１３と背中合わせとなるように浴室内から弾性的に嵌合し、その段部１０ａを外方の側片２０ａの突部２２の後端と係合させる。この際、弾性係合片１０の後端が他方の弾性押圧片２３と圧接して前向きに付勢されることにより、突部２２と段部１０ａとが強く係合し、係止力が大となる。また、弾性係合片１０を弾性係合片１３と背中合わせに押し込む際に、予め内向きに折曲しておいた両側片２０ａが、図２のように若干外開き状に弾性変形させられることにより、両弾性係合片１０，１３の対向面同士が強く密着し、浴室外側に曲げられた壁パネル６の化粧鋼板１１とコーナーパネル７の化粧鋼板１１とが当接し、接合部の防水性が高まる。従って、互いの接合部の前面を防水性の目地材やモール材等により塞ぐ必要がなくなるため、現場施工が容易となる。
【００３０】
図５は、本発明の他の実施形態を示すもので、コーナーパネル７の両側端に直接係合凹部２４を設け、上記のような連結部材１７を省略したものである。すなわち、コーナーパネル７の後部側端に平面視前向Ｌ字状の連結片２５を一体形成し、その側片２５ａとコーナーパネル７の側端面との間を、前方に開口する平面視コ字状の係合凹部２４としてある。
【００３１】
側片２５ａの前端の内面には、上記と同様の突部２２が突設され、また係合凹部２４の奥面には弾性押圧片２３が一体的に設けられている。
【００３２】
上記と同様、壁パネル６の弾性係合片１０を、浴室内より係合凹部２４に弾性的に嵌合すると、側片２５ａの突部２２の後端に段部１０ａが係合し、かつ弾性係合片１０の側端面がコーナーパネル７の側端面と当接する。また、弾性押圧片２３が弾性係合片１０の後端と圧接することにより、突部２２と段部１０ａとの係止力が大となる。
【００３３】
以上説明したように、本発明のコーナー部の連結構造においては、コーナーパネル７に対する壁パネル６の連結作業を浴室内から容易に行うことができるので、ユニットバスの設置空間が小さくても、施工性を向上させることができる。
【００３４】
また、壁パネル６の弾性係合片１０は、コーナーパネル７の係合凹部２１，２４内に弾性的に嵌合され、かつ突部２２と段部１０ａとが係合して抜け止めされるので、接着剤等を用いなくても確実に連結することができる。
【００３５】
以上、本発明の実施例を図面により説明してきたが、本発明はこの実施例に限定されるものではなく、本発明の主旨を逸脱しない範囲における変更や追加があっても本発明に含まれることは言うまでもない。
【００３６】
例えば、前記実施例の連結部材１７は、上下に連結する長寸のものとしたが、短寸のものを上下に複数個取付けてもよい。
【図面の簡単な説明】
【００３７】
【図１】本発明を適用したユニットバスの浴室の平面斜視図である。
【図２】同じく浴室壁面のコーナー部の拡大横断平面図である。
【図３】図２のIII−III線に沿う拡大縦断側面図である。
【図４】壁パネル連結前のコーナー部の横断平面図である。
【図５】本発明の他の実施形態におけるコーナー部の横断平面図である。
【符号の説明】
【００３８】
１            浴室
２            洗い場
３            防水パン
４            浴槽
５            壁面パネル
６            壁パネル
７            コーナーパネル
７ａ          延長片
８            段差部
９            縦フレーム材
９ａ          延長片
１０          弾性係合片
１０ａ        段部（係止手段）
１１          化粧鋼板
１２          リブ
１３          弾性係合片
１３ａ        段部（係止手段）
１４          キャップ
１５          パッキン(パッキン材)
１６          シール部材
１７          連結部材
１８          ねじ
１９          固定片
２０          連結片
２０ａ        側片
２１          係合凹部
２２          突部（係止手段）
２３          弾性押圧片
２４          係合凹部
２５          連結片
２５ａ        側片
【図１】
2007169918.tif 000003
【図２】
2007169918.tif 000004
【図３】
2007169918.tif 000005
【図４】
2007169918.tif 000006
【図５】
2007169918.tif 000007